(57)【要約】【課題】簡単にブラケットの鉛直方向の位置調整を行うことができるとともに、鉛直方向の位置調整機能を有さない戸車と同等のコストで製造することができる戸車を提供すること。【解決手段】引戸Ｄの下面に形成した戸車収納空間Ｓに取り付ける前後両端に張出部２１、２２を形成したブラケット２と、該ブラケット２に回動自在に配設されるローラ３とからなり、前記ブラケット２の一方の張出部２２に、引戸Ｄの下面に取り付けられ、該張出部２２と引戸Ｄの下面との間隔を調整する調整部材４が当接する受部２３を形成する。【選択図】図１
0003158749.tif 000002
【実用新案登録請求の範囲】
【請求項１】
引戸の下面に形成した戸車収納空間に取り付ける前後両端に張出部を形成したブラケットと、該ブラケットに回動自在に配設されるローラとからなる戸車において、前記ブラケットの一方の張出部に、引戸の下面に取り付けられ、該張出部と引戸の下面との間隔を調整する調整部材が当接する受部を形成するようにしたことを特徴とする戸車。
【請求項２】
前記調整部材を、引戸の下面にねじ込むネジとし、前記受部にネジの通過を阻止する大きさの調整口を開口し、該調整口からネジのねじ込み深さを調整するようにしたことを特徴とする請求項１記載の戸車。
【考案の詳細な説明】
【技術分野】
【０００１】
本考案は、戸車に関し、特に、戸車の鉛直方向の位置を調整することができる戸車に関するものである。
【背景技術】
【０００２】
従来、戸車に配設されるローラの鉛直方向の位置調整機構付きの戸車が提案されている（例えば、特許文献１〜２参照）。
【０００３】
図５（ａ）〜図５（ｂ）に示すように、この戸車５０は、中心両面に突出したローラ軸５１ａを有するローラ５１と、板材を略コ字状に折り曲げ、両対向面に前記ローラ軸５１ａが挿通できる斜状溝５２ａを形成した保持枠５２と、該保持枠５２を内部にローラ５１を備えた状態で収納する細長い矩形の筒箱状の戸車ケース５３とからなり、戸車ケース５３の正面及び背面に、前記斜状溝５２ａから突出するローラ軸５１ａの通過を許容する垂直溝５３ａが形成されている。
また、保持枠５２の側面に、調整ネジ５４のネジ部分が螺合するネジ穴５２ｂが、戸車ケース５３のネジ穴５２ｂに対応する位置に、調整ネジ５４の挿通口５３ｂが、それぞれ形成され、挿通口５３ｂ側から、調整ネジ５４の端部が突出して回動操作を可能としている。
また、調整ネジ５４に歯車を取り付け、戸車ケース５３の対応する位置に調整ネジ５４の歯車に噛合する歯車を配設し、戸車ケース５３の正面に開口した操作孔から調整ネジ５４の歯車に噛合する歯車を回転させることによって調整ネジ５４を回転させるようにすることもできるようにしている。
【０００４】
そして、調整ネジ５４を回転させ、保持枠５２を引戸の開閉方向と平行方向に移動させることにより、斜状溝５２ａと垂直溝５３ａとの交点を移動させてローラ５１の引戸に対する鉛直方向の位置を調整する（図５（ｂ）の例では、保持枠５２を右側に移動させ、ローラ５１の位置を下方に移動させるようにしている。）ようにしている。
【先行技術文献】
【特許文献】
【０００５】
【特許文献１】実開昭６３−１１７８８２号公報
【特許文献２】特開平０９−１３７６６６号公報
【考案の概要】
【考案が解決しようとする課題】
【０００６】
ところで、上記従来の戸車５０は、ローラ５１自体の鉛直方向の位置を調整することができるように構成しているため、ローラ５１のほかに、保持枠５２、戸車ケース５３、調整ネジ５４、戸車ケース５３を引戸に取り付けるためのネジ等の取付部材が必要となり、製造コストが高くつくという問題があった。
特に、比較的軽量な家庭用の引戸等の場合、必ずしも、この戸車５０のように強固な作りにする必要はない。
また、ローラ５１の鉛直方向の位置調整が必要となるのは、引戸を閉鎖方向に移動させた状態で、引戸の戸先と縦枠との間の上下のいずれかに、隙間が生じた場合（引戸が傾いている場合）である。
係る場合には、隙間が生じた位置に応じて、引戸の下面の２箇所に配設する戸車のうち、戸先側又は戸尻側のいずれかの戸車の鉛直方向の取付位置の調整を行うことによって、縦枠との隙間調整を行い、係る調整も施工時に行われ、施工後にこの戸車５０が有する調整機構を使ってのローラ５１の位置調整を行うことは稀であり、複雑な構造を有する調整機構付きの戸車の必要性は少ない場合が多い。
【０００７】
本考案は、上記従来の戸車の有する問題点に鑑み、簡単にブラケットの鉛直方向の位置調整を行うことができるとともに、鉛直方向の位置調整機能を有さない戸車と同等のコストで製造することができる戸車を提供することを目的とする。
【課題を解決するための手段】
【０００８】
上記目的を達成するため、本考案の戸車は、引戸の下面に形成した戸車収納空間に取り付ける前後両端に張出部を形成したブラケットと、該ブラケットに回動自在に配設されるローラとからなる戸車において、前記ブラケットの一方の張出部に、引戸の下面に取り付けられ、該張出部と引戸の下面との間隔を調整する調整部材が当接する受部を形成するようにしたことを特徴とする。
【０００９】
この場合において、前記調整部材を、引戸の下面にねじ込むネジとし、前記受部にネジの通過を阻止する大きさの調整口を開口し、該調整口からネジのねじ込み深さを調整するようにすることができる。
【考案の効果】
【００１０】
本考案の戸車によれば、ブラケットの一方の張出部に、引戸の下面に取り付けられ、該張出部と引戸の下面との間隔を調整する調整部材が当接する受部を形成するようにすることにより、引戸の下面との間に配設する調整部材の鉛直方向の長さを変更することによって簡単に戸車の鉛直方向の位置を調整することができる。
この際、ブラケットの引戸に対する取り付けは、調整部材が当接することのないもう一方の張出部に開口した挿通口に挿通するネジ等の固着手段によって行うことができ、室内外等を仕切る間仕切りの開口部に引戸を取り付けた際に、引戸の自重によって固定され、１箇所での取り付けであっても使用中にブラケットが脱落することはない。
また、ローラを配設したブラケットの鉛直方向の位置を調整するための部材として、ブラケットの形状を特殊形状にしたり複数の部材を組み合わせて用いたりする必要がないため、鉛直方向の位置調整機能を有さない戸車と同等のコストで製造することのできる戸車を提供することができる。
【００１１】
また、調整部材を、引戸の下面にねじ込むネジとし、前記受部にネジの通過を阻止する大きさの調整口を開口し、該調整口からネジのねじ込み深さを調整するようにしたときは、ブラケットを戸車収納空間に取り付けた後でも、引戸の下面側からローラを配設したブラケットの鉛直方向の位置調整を行うことができる。
また、調整部材であるネジに対して、受部に開口した調整口の縁部が当接するだけで、ネジには、下側から押し上げる力しかかからないため、使用中にネジのねじ込み深さが変動することがない。
【図面の簡単な説明】
【００１２】
【図１】本考案の戸車の実施例を示す一部切り欠きの正面図で、（ａ）は位置調整をしていない状態を、（ｂ）は位置調整後の状態である。
【図２】図１のＸ−Ｘ断面図で、（ａ）は位置調整をしていない状態を、（ｂ）は位置調整後の状態である。
【図３】ブラケットと戸車との説明図で、（ａ）はブラケットに戸車を取り付けた正面図、（ｂ）は同平面図、（ｃ）は同側面図、（ｄ）は折り曲げ加工によって製造する場合のブラケットの素材図である。
【図４】本考案の戸車の別の実施例を示す一部切り欠きの正面図である。
【図５】従来の戸車を示す一部切り欠きの正面図で、（ａ）は位置調整前の状態を、（ｂ）は位置調整後の状態である。
【考案を実施するための形態】
【００１３】
以下、本考案の戸車の実施の形態を、図面に基づいて説明する。
【００１４】
図１〜図５に、本考案の戸車の一実施例を示す。
【００１５】
この戸車１は、引戸Ｄの下面に形成した戸車収納空間Ｓに取り付ける前後両端に張出部２１、２２を形成したブラケット２と、該ブラケット２に回動自在に配設されるローラ３とからなり、ブラケット２の一方の張出部２２に、引戸Ｄの下面に取り付けられ、該張出部２２と引戸Ｄの下面との間隔を調整する調整部材４が当接する受部２３を形成するようにしている。
【００１６】
ブラケット２は、ローラ３を回動自在に支持し、引戸Ｄの下面に形成した戸車収納空間Ｓに取り付けることができるとともに、引戸Ｄの下面に配設された調整部材４が当接する受部２３を有する構造である限りにおいて、その構成は特に限定されるものではないが、本実施例においては、図３に示すように、ローラ３の回動軸３１を支持する取付口２０ａを開口した対となるローラ取付部２０、２０を側面とし、両ローラ取付部２０、２０を接続するとともに、引戸Ｄの開閉方向と平行方向（ローラ３の回動軸３１と直行する方向）に延設した対向する張出部２１、２２から構成し、一方の張出部２２に、調整部材４が当接する受部２３を形成するとともに、他方の張出部２１に、ブラケット２を引戸Ｄに取り付けるためのビス等の固着手段が挿通する挿通口２１ａを開口するようにしている。
そして、張出部２１、２２の間に、ローラ３がレールＲに載置可能となるように、ローラ突出口２４が開口されている。
ブラケット２は、例えば、図３（ｄ）に示すような形状に打ち抜かれた金属製の板材２Ａを、一点鎖線部分において曲げ加工を施すことによって製作される。
また、張出部２１、２２、特に、取付用の張出部２１は、図に示すように、側面視コ字状に形成するとともに、角部を円弧状に形成することによって、後述するローラ３の鉛直方向の位置調整の際、ブラケット２の揺動の支点としてスムーズに位置調整を行うことができるようにしている。
【００１７】
ローラ３は、レールＲの形状に沿うように、円周側面を円弧状とした円盤状のローラ本体３０と、内部に封入されたベアリングに嵌入される回動軸３１とからなり、ブラケット２の取付口２０ａ、２０ａに回動軸３１を介して回動自在に取り付けられる。
【００１８】
調整部材４は、ローラ３を配設したブラケット２の鉛直方向の位置を調整するためのもので、受部２３と引戸Ｄの下面との間の間隔を調整することができるものである限りにおいて、その構成は特に限定されるものではないが、本実施例においては、引戸Ｄの下面にねじ込むネジ４Ａを用いるようにしている。
ネジ４Ａの頭部は、工具がかかる、すりわりや十字穴等と、受部２３に当接する当接部分とから構成されている。
本実施例においては、図２に示すように、頭部と一体又は別体の座金を用いたネジを使用し、座金を当接部分として機能させ、頭部の先端は、後述する受部２３に開口した調整口２２ａに入り込む大きさとしている。
【００１９】
そして、ブラケット２の張出部２２に形成した受部２３に、ネジ４Ａの通過を阻止（本実施例においては、座金が受部２３に当接して通過が阻止されている。）する大きさの調整口２２ａを開口し、該調整口２２ａからドライバ等の工具をネジ４Ａの頭部に形成した十字穴等に掛け、ネジ４Ａのねじ込み深さを調整するようにしている。
また、調整口２２ａは、図３（ｂ）に示すように、長孔とすることが好ましい。
これによって、ローラ３を配設したブラケット２の鉛直方向の位置調整の際に、ブラケット２が揺動し、ネジ４Ａの頭部の位置が、調整口２２ａに対して位置がずれた場合でも、ブラケット２の裏側から常にネジ４Ａの調整を行うことができる。
【００２０】
上記構成において、この戸車１を取り付けた引戸Ｄの所定の開口部への取り付け手順を説明する。
【００２１】
まず、図１（ａ）及び図２（ａ）に示すように、ネジ等の固着手段５を張出部２１の挿通口２１ａに挿通して、張出部２１を引戸Ｄの下面に固定することによって、ブラケット２を引戸Ｄの戸車収納空間Ｓに取り付ける。
このとき、予め、ネジ４Ａを、受部２３に開口した調整口２２ａに対応する引戸Ｄの下面に十分にねじ込み、ネジ４Ａによって張出部２２の位置が決定されることがないようにして、ブラケット２を、戸車収納空間Ｓ内に取り付ける。
そして、引戸Ｄを、所定の開口部に取り付け、ローラ３をレールＲ上に載置する。
【００２２】
このとき、引戸Ｄを閉鎖方向に移動させた状態で、引戸Ｄの戸先と縦枠との間の上下のいずれかに、隙間が生じた場合（引戸が傾いている場合）に、隙間が生じた位置に応じて、引戸Ｄの下面の２箇所に配設する戸車１のうち、戸先側又は戸尻側いずれかのブラケット２の鉛直方向の位置調整が必要となる。
例えば、引戸Ｄの戸先と縦枠との間に下側で隙間が生じている場合、引戸Ｄの戸先側の下面とローラ３の下端頂部までの寸法Ｈを大きくする（戸先側のブラケット２の鉛直方向の位置を上側に移動させる。）必要が生じる。
【００２３】
係る場合には、一旦、引戸Ｄを開口部から取り外し、固着手段５を、若干緩めた後、受部２３に開口した調整口２２ａからネジ４Ａを回転させ、ネジ４Ａのねじ込み深さを浅くすることによって、引戸Ｄの下面とローラ３の下端頂部までの寸法をＨ＋ｈとなるように調整し、調整後に、固着手段５によってブラケット２を引戸Ｄの下面に強固に固定し、引戸Ｄを所定の開口部に取り付け、ローラ３をレールＲ上に載置し、戸先と縦枠との間に隙間が生じていないことを確認して、この戸車１を取り付けた引戸Ｄを所定の開口部への取り付けを完了する。
【００２４】
なお、調整部材４を、図４（ｂ）に示すような、高さが異なり、一端にネジ山等の取付部Ｔを形成した部材４Ｂとすることもできる。
この場合、図４（ａ）に示すように、引戸Ｄの戸先が当接する縦枠と引戸Ｄとの間に生じる隙間に応じて、所定高さの部材４Ｂを、戸先側又は戸尻側の引戸Ｄの戸車収納空間Ｓの受部２３に対応する位置に取り付けることによって、ローラ３を配設したブラケット２の鉛直方向の位置を調整し、戸先と縦枠との間に隙間をなくした状態で、引戸Ｄを所定の開口部への取り付けることもできる。
【００２５】
以上、本考案の戸車について、その実施例に基づいて説明したが、本考案は上記実施例に記載した構成に限定されるものではなく、その趣旨を逸脱しない範囲において適宜その構成を変更することができるものである。
【産業上の利用可能性】
【００２６】
本考案の戸車は、簡単にローラを配設したブラケットの鉛直方向の位置調整を行うことができるとともに、鉛直方向の位置調整機能を有さない戸車と同等のコストで製造することができるという特性を有していることから、レール載置式の引戸、特に、家庭用のレール載置式の引戸の用途に好適に用いることができる。
【符号の説明】
【００２７】
１    戸車
２    ブラケット
２２  張出部
２２ａ  調整口
２３    受部
３    ローラ
４    調整部材
４Ａ  ネジ
Ｄ    引戸
【図１】
0003158749.tif 000003
【図２】
0003158749.tif 000004
【図３】
0003158749.tif 000005
【図４】
0003158749.tif 000006
【図５】
0003158749.tif 000007